(57)【要約】本発明にかかる映像データの出力装置は、３Ｄデータ及び２Ｄデータの２種類の映像データを取得可能なコントローラと、取得した映像データをテレビに選択的に出力可能なＨＤＭＩと、を備え、ＨＤＭＩは、第１の映像データを出力した後に第２の映像データを出力する場合において、前記出力する映像データの種類が変更されるときに、第１の映像データの出力後、予め設定された黒画面の映像データを所定期間Ｔ出力し、その後、第２の映像データの出力を開始する。
2012014354.tif 000002
【特許請求の範囲】
【請求項１】
３Ｄデータ及び２Ｄデータの２種類の映像データを取得可能な取得手段と、
前記取得手段で取得した映像データを外部機器に選択的に出力可能な出力手段と、を備え、
前記出力手段は、
第１の映像データを出力した後に第２の映像データを出力する場合において、前記出力する映像データの種類が変更されるときに、第１の映像データの出力後、予め設定された映像データを所定期間出力し、その後、第２の映像データの出力を開始する、
映像データの出力装置。
【請求項２】
前記予め設定された映像データの種類は、前記第２の映像データの種類と同一である、
請求項１に記載の映像データの出力装置。
【請求項３】
前記予め設定された映像データは、２Ｄデータの表示方法と３Ｄデータの表示方法とのいずれの方法で表示しても同一の映像を示す映像データである、
請求項１又は２に記載の映像データの出力装置。
【請求項４】
前記予め設定された映像データは、単色の映像を示す映像データである、
請求項３に記載の映像データの出力装置。
【請求項５】
前記所定期間は、
前記外部機器が、先に表示していた映像データの種類とは異なる種類の映像データの入力を受け付けてから映像データの表示方式の種類の切り替えを完了するまでの期間よりも長い期間である、
請求項１〜４の何れか１項に記載の映像データの出力装置。
【発明の詳細な説明】
【技術分野】
【０００１】
本発明は、外部機器に映像データを出力する出力装置に関する。
【背景技術】
【０００２】
特許文献１は、カメラを開示する。このカメラは、画像が２Ｄ（平面）画像か３Ｄ（立体）画像かを区別する制御情報を画像に付加して記憶手段に記憶する。このカメラは、記憶手段から画像を読み出してテレビに出力する際に、画像に付加された制御情報を制御信号として出力する。【０００３】
これにより、テレビは、出力する画像が２Ｄ画像であるか３Ｄ画像であるかを制御信号により判別し、画像の種類に応じた表示方式で適切に画像を表示できる。
【先行技術文献】
【特許文献】
【０００４】
【特許文献１】特開２００８−４２６４５号公報
【発明の概要】
【発明が解決しようとする課題】
【０００５】
従来、テレビが前記制御信号を受信すると、まず制御信号の内容を解析し、出力する画像の種類が２Ｄ画像であるか３Ｄ画像であるかを判別する。そして、この判別した画像の種類が変わらない場合は、同一の表示方式で画像を表示する。一方、判別した画像の種類が変わる場合、例えば一の画像の出力が完了して他の画像の出力を開始する際に画像の種類が２Ｄ画像から３Ｄ画像に変わる場合は、テレビは２Ｄ画像に応じた表示方式から３Ｄ画像に応じた表示方式へ表示方式の切り替えを行う。ここで、テレビが前記制御信号を受信してから表示方式の切り替えが完了するまでには、制御信号の内容の解析や表示方式の切り替えを行うため、所定の時間を要する。その結果、この所定時間の間に受信した切り替え後の映像データについては、切り替え前の映像データに対応した表示方式で表示されることとなる。したがって、何が表示されているのか使用者が認識できないような異常な画像が外部機器に表示されることとなる。【０００６】
本発明は、３Ｄ画像と２Ｄ画像とを外部機器に出力可能な出力装置において、外部機器が制御信号を受信してから画像の表示方式の切り替えが完了するまでの期間に外部機器で異常な画像が表示されるのを低減可能な映像データの出力装置を提供することを目的とする。
【課題を解決するための手段】
【０００７】
上記課題を解決するために、本発明にかかる映像データの出力装置は、３Ｄデータ及び２Ｄデータの２種類の映像データを取得可能な取得手段と、前記取得手段で取得した映像データを外部機器に選択的に出力可能な出力手段と、を備え、前記出力手段は、第１の映像データを出力した後に第２の映像データを出力する場合において、出力する映像データの種類が変更されるときに、第１の映像データの出力後、予め設定された映像データを所定期間出力し、その後、第２の映像データの出力を開始する。
【発明の効果】
【０００８】
本発明によれば、第１の映像データを出力後に第２の映像データを出力する場合において、出力する映像データの種類が変更されるときに、第１の映像データの出力後、予め設定された映像データを所定期間出力し、その後、第２の映像データの出力が開始される。つまり、少なくとも所定期間の間は予め設定された映像データが表示されるので、異常な画像が表示される期間が低減される。
【図面の簡単な説明】
【０００９】
【図１】デジタルビデオカメラに３Ｄコンバージョンレンズを取り付けた状態を示す斜視図
【図２】３Ｄコンバージョンレンズを取り付けた状態のデジタルビデオカメラが撮像する画像データを説明するための図
【図３】デジタルビデオカメラの構成を示すブロック図
【図４】テレビへ出力する映像データの種類が変わる際に、黒画面を示す映像データを出力する理由を説明するための図
【図５】映像データの記録動作を説明するためのフローチャート
【図６】映像データの管理テーブルを説明するための図
【図７】記録する圧縮済みの映像データの形式を示す図
【図８】１ファイル分の映像データを再生する場合の再生動作を説明するためのフローチャート
【図９】外部機器に出力する映像データの形式を示す図
【図１０】複数ファイルの映像データを連続的に再生する場合の再生動作を説明するためのフローチャート
【図１１】外部機器に出力する黒画面を示す映像データの形式を説明するための図
【発明を実施するための形態】
【００１０】
１．実施の形態１
本発明をデジタルビデオカメラに適用した実施の形態１について図面を用いて説明する。
【００１１】
１−１．概要
本実施の形態にかかるデジタルビデオカメラ１００の概要について図１，２を用いて説明する。図１は、デジタルビデオカメラ１００に３Ｄコンバージョンレンズ５００を取り付けた状態を示す斜視図である。図２は、３Ｄコンバージョンレンズ５００を取り付けた状態のデジタルビデオカメラ１００が撮像する画像データを説明するための図である。
【００１２】
デジタルビデオカメラ１００は、３Ｄコンバージョンレンズ５００を取り付けるためのマニュアルリング３１０を有している。マニュアルリング３１０は、内側に雌ネジを有している。一方、３Ｄコンバージョンレンズ５００は、マニュアルリング３１０が有する雌ネジに係合する雄ネジを有している。使用者は、３Ｄコンバージョンレンズ５００が有する雄ネジをマニュアルリング３１０が有する雌ネジに係合することで、３Ｄコンバージョンレンズ５００をデジタルビデオカメラ１００に取り付けることができる。なお、デジタルビデオカメラ１００は、３Ｄコンバージョンレンズ５００の装着を磁気的に検出できる。
【００１３】
３Ｄコンバージョンレンズ５００は、３Ｄ画像における左目用の像を形成するための光をデジタルビデオカメラ１００の光学系に導入する左目用レンズ５２０と、右目用の像を形成するための光を光学系に導入する右目用レンズ５１０とを有する。３Ｄコンバージョンレンズ５００を介して入射した光は、デジタルビデオカメラ１００のＣＣＤイメージセンサー１８０に、図２に示すようなサイドバイサイド形式の３Ｄ画像として結像される。
【００１４】
デジタルビデオカメラ１００は、図２に示すような３Ｄ画像を撮像し、メモリカード２４０等の記録媒体に記録できる。一方、３Ｄコンバージョンレンズ５００を取り付けていない状態では、デジタルビデオカメラ１００は、２Ｄ画像を撮像し、撮像した２Ｄ画像のデータをメモリカード等の記録媒体に記録できる。なお、図２に示すような３Ｄ画像に基づいて生成される映像データを３Ｄデータという。また、２Ｄ画像に基づいて生成される映像データを２Ｄデータという。
【００１５】
デジタルビデオカメラ１００は、メモリカード等の記録媒体に記録されている３Ｄデータ及び２ＤデータをＨＤＭＩを介して外部機器（例えば、テレビ）に出力できる。
【００１６】
１−２．構成
１−２−１．電気的構成
本実施の形態にかかるデジタルビデオカメラ１００の電気的構成について、図３を用いて説明する。図３は、デジタルビデオカメラ１００の構成を示すブロック図である。デジタルビデオカメラ１００は、光学系１０１、ＣＣＤイメージセンサー１８０、画像処理部１９０、液晶モニタ２７０、検出器１２０、ズームモータ１３０、ＯＩＳアクチュエータ１５０、検出器１６０、メモリ２００、ズームレバー２６０、操作部材２５０、内部メモリ２８０、ジャイロセンサー２２０、コントローラー２１０、ＨＤＭＩ部２９０、及びカードスロット２３０を有する。デジタルビデオカメラ１００は、光学系１０１により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。
【００１７】
デジタルビデオカメラ１００の光学系１０１は、ズームレンズ１１０、ＯＩＳ１４０、フォーカスレンズ１７０を含む。ズームレンズ１１０は、光学系１０１の光軸に沿って移動することにより、被写体像を拡大又は縮小可能である。また、フォーカスレンズ１７０は、光学系１０１の光軸に沿って移動することにより、被写体像のピントを調整する。
【００１８】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１９】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００２０】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００２１】
ＣＣＤイメージセンサー１８０は、ズームレンズ１１０等からなる光学系１０１で形成された被写体像を撮像して、映像データを生成する。ＣＣＤイメージセンサー１８０は、露光、転送、電子シャッタなどの各種動作を行う。
【００２２】
画像処理部１９０は、ＣＣＤイメージセンサー１８０で生成された映像データに対して各種の処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。また、画像処理部１９０は、圧縮済みの映像データを復号する。画像処理部１９０は、ＤＳＰやマイコンなどで実現可能である。
【００２３】
コントローラー２１０は、デジタルビデオカメラ１００の全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２４】
メモリ２００は、画像処理部１９０及びコントローラー２１０のワークメモリとして機能する。メモリ２００は、例えば、ＤＲＡＭ、強誘電体メモリなどで実現できる。
【００２５】
液晶モニタ２７０は、ＣＣＤイメージセンサー１８０で生成した映像データが示す映像や、メモリカード２４０から読み出した映像データが示す映像を表示可能である。
【００２６】
ジャイロセンサー２２０は、圧電素子等の振動材等で構成される。ジャイロセンサー２２０は、圧電素子等の振動材を一定周波数で振動させたときのコリオリ力による力を電圧に変換して角速度情報を得る。デジタルビデオカメラ１００は、ジャイロセンサー２２０から角速度情報を得て、この揺れを相殺する方向にＯＩＳ内の補正レンズを駆動させることにより、使用者による手振れを補正する。
【００２７】
カードスロット２３０は、メモリカード２４０を装着可能である。カードスロット２３０は、機械的及び電気的にメモリカード２４０と接続可能である。メモリカード２４０は、フラッシュメモリや強誘電体メモリなどを内部に含み、データを格納可能である。
【００２８】
内部メモリ２８０は、フラッシュメモリや強誘電体メモリなどで構成される。内部メモリ２８０は、デジタルビデオカメラ１００全体を制御するための制御プログラム等を格納する。
【００２９】
操作部材２５０は、使用者から操作を受け付ける部材である。ズームレバー２６０は、使用者からズーム倍率の変更指示を受け付ける部材である。
【００３０】
ＨＤＭＩ部２９０は、ＨＤＭＩ（High Definition Multimedia Interface）規格にしたがい、映像データ等のデータを外部機器に出力するためのインターフェースである。デジタルビデオカメラ１００は、ＨＤＭＩ部２９０を介して、外部機器に映像データを出力できる。
【００３１】
１−２−２．本発明との対応
ＨＤＭＩ部２９０は、出力手段の一例である。コントローラー２１０は、取得手段の一例である。
【００３２】
１−２−３．従来の問題、及び本実施の形態のデジタルビデオカメラの概要
３Ｄ映像を表示可能なテレビにおいては、３Ｄデータに基づいて３Ｄ映像を表示する際と、２Ｄデータに基づいて２Ｄ映像を表示する際とで、表示方式が異なる。具体的には、テレビは、例えば３Ｄ映像の方式がサイドバイサイド方式である場合、３Ｄ映像を表示する際に、左目用の画像と、右目用の画像とをそれぞれ水平方向に引き伸ばし、引き伸ばした両方の画像を交互に表示する。一方、２Ｄ映像を表示する際には、テレビは、特に画像の引き伸ばし等を行わず、そのままの画像を表示する。
【００３３】
図４（ａ）は、従来においてデジタルビデオカメラからテレビに出力する映像データの種類が３Ｄデータから２Ｄデータに変わったときにおける、デジタルビデオカメラのＨＤＭＩ出力、及びテレビの画面表示を説明するための図である。デジタルビデオカメラは、３Ｄデータの出力が完了すると、２Ｄデータの出力を開始する。テレビは、受信している映像データにＶＳＩフラグが含まれているかどうかにより、受信している映像データが２Ｄデータか３Ｄデータかを判別する。ここで、ＶＳＩフラグとは、デジタルビデオカメラからテレビに出力する映像データが３Ｄデータであるか２Ｄデータであるかを判別するためのフラグであり、デジタルビデオカメラからテレビに出力する３Ｄデータのみに含まれ、フレーム毎に出力される。テレビは、映像データ中にＶＳＩフラグが所定フレーム以上（例えば３フレーム以上）にわたって連続して存在している場合は受信している映像データが３Ｄデータであると判別し、そうでない場合は受信している映像データが２Ｄデータであると判別する。所定フレーム以上（例えば３フレーム以上）にわたってＶＳＩフラグが連続して存在しているか否かを判別条件としているのは、エラー等によりＶＳＩフラグを検出できないこともあるので、判定の信頼性を向上させるためである。ＶＳＩフラグに基づいて、受信している映像データが２Ｄデータと３Ｄデータのいずれであるかを判別すると、テレビは、判別結果に基づいてテレビの表示方式を２Ｄ方式または３Ｄ方式に設定する。例えばデジタルビデオカメラから出力される映像データが３Ｄデータから２Ｄデータに切り替わった場合、テレビは、受信した映像データにＶＳＩフラグが存在しなくなったことに基づいて、映像データが３Ｄデータから２Ｄデータに切り替わったことを認識する。
しかし、所定フレーム以上（例えば３フレーム以上）にわたってＶＳＩフラグが連続して存在しているか否かを判別条件としていると、映像データが切り替わってから少なくとも所定フレームが経過するまでは、映像データが切り替わったことを認識することができないという問題がある。また、各フレームにおいてＶＳＩフラグが存在しているか否かを解析する処理に所定の時間を要する。これらの点から、テレビは、受信する映像データが３Ｄデータから２Ｄデータに切り替わった際、切り替わったことをすぐには判断できない。すなわち、映像データが３Ｄデータから２Ｄデータに切り替わったことを切り替わりと同時に判断できない。以下、これを「ＶＳＩフラグ判別遅延」という。その結果、テレビは、時刻ｔ１から映像データとして２Ｄデータを受信しているにも関わらず、受信している映像データが２ＤデータであることをＶＳＩフラグがないことに基づいて判別するまでは（時刻ｔ２までは）、３Ｄデータを受信しているものとして、３Ｄ映像の表示方式で２Ｄデータを画面に表示してしまう。つまり、テレビは、この期間（ｔ１〜ｔ２。以下、「ＶＳＩフラグ判別遅延期間Ｔ１」という）は異常画面を表示してしまう。例えば、テレビは、３Ｄ映像の方式がサイドバイサイド方式である場合、２Ｄ映像を左右に分割し、右半分の画像と左半分の画像とをそれぞれ水平方向に引き伸ばし、引き伸ばした両方の画像を時間的に交互に表示する。そのため、視聴者は、右半分の画像と左半分の画像とが重なり合った画像を視認することとなり、映像の内容を理解できない異常な画像として認識する。
【００３４】
なお、テレビは、受信した映像データ内にＶＳＩフラグがないことを判断すると（時刻ｔ２）、表示方式の切り替えのために所定期間Ｔ２（ｔ２〜ｔ３。以下「表示方式切替期間Ｔ２」という）の間、黒画面５３０を表示する。２Ｄ映像の表示方式への切り替えが完了すると、テレビは、受信した２Ｄデータに基づいた２Ｄ映像の表示を開始する。但し、この場合には、ＶＳＩフラグ判別遅延期間Ｔ１、及び表示方式切替期間Ｔ２において、デジタルビデオカメラから受信した２Ｄデータの先頭部分Ｘはテレビの画面に表示されない。
【００３５】
上記の問題を解決するため、本実施の形態にかかるデジタルビデオカメラ１００は、映像データの種類を切り替える際に、それ以前に再生していた映像データの出力が完了した場合、再生していた映像データの出力が完了してから所定期間が経過するまでの間は黒画面を示す映像データを出力し、所定期間が経過した後で新たな映像の映像データのテレビへの出力を開始する。
【００３６】
図４（ｂ）は、本実施の形態において、デジタルビデオカメラ１００からテレビに出力する映像データの種類が３Ｄデータから２Ｄデータに変わったときにおける、デジタルビデオカメラ１００のＨＤＭＩ出力、及びテレビの画面表示を説明するための図である。図４（ｂ）に示すように、デジタルビデオカメラ１００は、３Ｄデータの出力が完了してから所定期間Ｔの間は黒画面を示す２Ｄデータ５４０を出力し、その後映像コンテンツとしての２Ｄデータ５５０の出力を開始する。所定期間Ｔは、テレビが先に表示していた映像データの種類とは異なる種類の映像データの入力を受け付けてから、映像データのＶＳＩフラグの判別及び表示方式の種類の切り替えを完了するのに要する期間（図４（ａ）におけるＶＳＩフラグ判別遅延期間Ｔ１と表示方式切替期間Ｔ２の合計の期間）よりも長い期間に設定している。ＶＳＩフラグ判別遅延期間Ｔ１と表示方式切替期間Ｔ２の合計の期間よりも長くしているのは、判別や表示方式の切替に要する時間に若干ばらつきがある場合でも対応可能とするためである。
【００３７】
このような構成では、テレビは、ＶＳＩフラグ判別遅延期間Ｔ１の間、デジタルビデオカメラ１００から受信した黒画面を示す２Ｄデータを、３Ｄ映像の表示方式でテレビの画面に表示する。黒画面を示す２Ｄデータを３Ｄ映像の表示方式（例えばサイドバイサイド方式やトップアンドボトム方式）でテレビの画面に表示したとしても、テレビには黒画面としてしか表示されない。その結果、使用者は、ＶＳＩフラグ判別遅延期間Ｔ１の間テレビに表示されている黒画面を異常画面としては認識しない。以下、本実施の形態におけるこのような映像データの出力制御の詳細について説明する。
【００３８】
１−３．動作
１−３−１．記録動作
デジタルビデオカメラ１００における映像データの記録動作について図５〜７を用いて説明する。図５は、映像データの記録動作を説明するためのフローチャートである。図６は、映像データの管理テーブルを説明するための図である。図７は、記録する、圧縮済みの映像データの形式を示す図である。図７（ａ）は３Ｄデータの場合の形式を、図７（ｂ）は２Ｄデータの場合の形式を示す。
【００３９】
図５において、デジタルビデオカメラ１００は、使用者による操作を受け付けると、映像データの記録を開始する（Ｓ１００）。映像データの記録を開始すると、コントローラー２１０は、自装置（デジタルビデオカメラ１００）が３Ｄモードに設定されているか否かを判断する（Ｓ１１０）。具体的には、コントローラー２１０は、デジタルビデオカメラ１００に３Ｄコンバージョンレンズ５００が取り付けられているか否かを判断する。
【００４０】
３Ｄモードに設定されていないと判断すると（つまり、デジタルビデオカメラ１００に３Ｄコンバージョンレンズ５００が取り付けられていないと判断すると）、コントローラー２１０は、記録する映像データが２Ｄデータである旨を示す情報を管理テーブル３００に記録する（Ｓ１２０）。管理テーブル３００は、図６に示すように、ＩＤと、映像データが２Ｄデータであるか３Ｄデータであるかを示す情報（以下、「３Ｄ２Ｄ識別フラグ」と称する。）と、映像データのファイル名とを対応付けて管理するものであり、メモリカード２４０に記録されている。なお、デジタルビデオカメラ１００の電源がＯＮ状態のとき、管理テーブル３００は、メモリカード２４０から読み出されて、一時的に内部メモリ２８０に記憶される。映像データのメモリカード２４０への記録が完了すると、コントローラー２１０は、内部メモリ２８０上で管理テーブル３００を更新し、さらにメモリカード２４０内に記録されている管理テーブル３００を更新する。
【００４１】
記録する映像データが２Ｄデータである旨を示す３Ｄ２Ｄ識別フラグを管理テーブル３００に記録すると、コントローラー２１０は、２Ｄ映像データのメモリカード２４０への記録を開始する（Ｓ１３０）。具体的には、コントローラー２１０は、映像データを所定の方式により圧縮して図７（ｂ）のような圧縮済みの２Ｄデータを生成し、メモリカード２４０へ記録する。圧縮済みの２Ｄデータは、１フレーム毎に、圧縮フレームヘッダと圧縮フレームデータとを格納する。圧縮フレームヘッダには、例えば、次の圧縮フレームデータの種類がＩピクチャと、Ｐピクチャと、Ｂピクチャとのうちのいずれであるのかを示す情報が格納されている。
【００４２】
映像データのメモリカード２４０への記録を開始すると、コントローラー２１０は、操作部材２５０を介して使用者から映像データの記録の停止指示を受け付けたか否かを判断する（Ｓ１４０）。コントローラー２１０は、記録停止指示を受け付けるまではメモリカード２４０への映像データの記録を継続する一方、記録停止指示を受け付けるとメモリカード２４０への映像データの記録を停止する（Ｓ１５０）。
【００４３】
一方、ステップＳ１１０において、３Ｄモードに設定されていると判断すると（つまり、自装置に３Ｄコンバージョンレンズ５００が取り付けられていると判断すると）、コントローラー２１０は、記録する映像データが３Ｄデータであることを示す３Ｄ２Ｄ識別フラグを管理テーブル３００に記録する（Ｓ１６０）。３Ｄ２Ｄ識別フラグを管理テーブル３００に記録すると、コントローラー２１０は、３Ｄ映像データのメモリカード２４０への記録を開始する（Ｓ１７０）。具体的には、コントローラー２１０は、映像データを所定の方式により圧縮して図７（ａ）に示すような圧縮済みの３Ｄデータを生成し、メモリカード２４０へ記録する。圧縮済みの３Ｄデータは、１フレーム毎に、圧縮フレームヘッダと、ＦＰＡフラグと、圧縮フレームデータとを含む。ＦＰＡフラグは、圧縮フレームデータが３Ｄデータである旨を示すフラグである。なお、ＦＰＡフラグは、Ｈ．２６４規格において規定されるFrame Packing Arrangement SEI 領域に格納される。
【００４４】
映像データのメモリカード２４０への記録を開始すると、コントローラー２１０は、使用者から映像データの記録の停止指示を受け付けたか否かを判断する（Ｓ１８０）。コントローラー２１０は、記録停止指示を受け付けるまでは記録を継続する一方、記録停止指示を受け付けると映像データの記録を停止する（Ｓ１９０）。
【００４５】
１−３−２．映像データの再生動作
デジタルビデオカメラ１００がＨＤＭＩ部２９０を介して外部機器と接続された状態で外部機器に対して映像データを出力する場合のデジタルビデオカメラ１００における映像データの再生動作について図８、９を用いて説明する。図８は、映像データの再生動作を説明するためのフローチャートである。図８の例では、１ファイル分の映像データを再生する場合を示している。図９は、外部機器に出力する映像データの形式を示す図である。図９（ａ）は非圧縮の３Ｄデータの形式を示す図である。図９（ｂ）は非圧縮の２Ｄデータの形式を示す図である。なお、本実施の形態においては、外部機器としてテレビを考える。本実施の形態では、映像データの再生には、映像データの復号、復号した映像データにＦＰＡフラグ等が含まれるか否かの解析、復号及び解析した映像データに基づく２Ｄデータまたは３Ｄデータの生成及び出力の処理が含まれる。
【００４６】
テレビに出力するための映像データの再生を行う場合、コントローラー２１０は、再生対象である圧縮済みの映像データの復号を開始するよう画像処理部１９０を制御する（Ｓ２１０）。映像データの復号を開始するよう画像処理部１９０を制御すると、コントローラー２１０は、復号した映像データ中にＦＰＡフラグが格納されているか否かを判断する（Ｓ２２０）。
【００４７】
ＦＰＡフラグが含まれていないと判断すると、すなわち、映像データが２Ｄデータの場合、コントローラー２１０は、復号した映像データに基づいて、非圧縮の２Ｄデータを生成し、ＨＤＭＩ部２９０を介して出力する（Ｓ２３０）。この非圧縮の２Ｄデータは、図９（ｂ）に示すように、１フレーム毎に、非圧縮フレームヘッダと、非圧縮フレームデータとを含む。非圧縮フレームヘッダには、例えば、非圧縮フレームデータの解像度に関する情報が格納されている。コントローラー２１０は、この非圧縮の２Ｄデータの生成、出力を１ファイル分（１ＩＤ分）の映像データの再生が完了するまで継続する（Ｓ２４０）。映像データの再生が完了すると、コントローラー２１０は、映像データの再生を停止する（Ｓ２５０）。
【００４８】
一方、ステップＳ２２０において、ＦＰＡフラグが含まれていると判断すると、すなわち、映像データが３Ｄデータの場合、コントローラー２１０は、復号した映像データに基づいて、非圧縮の３Ｄデータを生成する（Ｓ２６０）。この非圧縮の３Ｄデータは、図９（ａ）に示すように、１フレーム毎に、非圧縮フレームヘッダと、ＶＳＩフラグと、非圧縮フレームデータとを含む。ＶＳＩフラグは、非圧縮フレームデータが３Ｄデータである旨を示すフラグである。なお、ＶＳＩフラグは、ＨＤＭＩ規格において規定されるHDMI Vendor Specific InfoFrame 領域に格納される。この非圧縮の３Ｄデータの生成、出力を１ファイル分（１ＩＤ分）の映像データの再生が完了するまで継続する（Ｓ２７０）。映像データの再生が完了すると、コントローラー２１０は、映像データの再生を停止する（Ｓ２８０）。
【００４９】
１−３−３．テレビへの映像データの出力動作
メモリカード２４０に複数の映像データが記憶されている場合には、コントローラー２１０は、管理テーブル３００に記録されたＩＤの順に従って映像データを連続的に再生する。以下、デジタルビデオカメラ１００における連続的に再生した映像データのテレビへの出力動作について図１０、１１を用いて説明する。図１０は、複数ファイルの映像データを連続的に再生して出力する場合の再生動作を説明するためのフローチャートである。図１１は、テレビに出力する黒画面を示す映像データの形式を説明するための図である。
【００５０】
コントローラー２１０は、１ファイル分（１ＩＤ分）の映像データを再生が完了するまで再生し、再生した映像データをテレビへ出力する（Ｓ３１０）。この具体的処理は前述した図８のフローチャートにしたがって行われる。再生中の映像データの再生が完了すると、コントローラー２１０は、次に再生する映像データの種類が前に再生した映像データの種類と異なるか否かを判断する（Ｓ３２０）。映像データの種類とは、３Ｄデータや２Ｄデータであり、コントローラー２１０は、映像データの種類が３Ｄデータから２Ｄデータへ、または２Ｄデータから３Ｄデータへ変更したか否かを判断する。具体的には、コントローラー２１０は、管理テーブル３００に格納されている３Ｄ２Ｄ識別フラグの内容が次に再生する映像データと前に再生した映像データとで異なるか否かを判断する。
【００５１】
映像データの種類が同じであると判断すると、コントローラー２１０は、前の映像データに続いて新たな映像データの再生開始処理を行い（Ｓ３３０）、前記ステップＳ３１０で映像データの再生を行ってテレビへ出力する。
【００５２】
一方、映像データの種類が異なると判断すると、コントローラー２１０は、映像データの種類が３Ｄデータから２Ｄデータに変わるのか、２Ｄデータから３Ｄデータに変わるのかを判断する（Ｓ３４０）。
【００５３】
３Ｄデータから２Ｄデータに変わると判断すると、コントローラー２１０は、新たな２Ｄ映像データの出力の前に２Ｄ形式の黒画面データ（第１の黒画面データ）をテレビに出力する（Ｓ３５０）。この第１の黒画面データは、図１１（ａ）に示すように、１フレーム毎に、非圧縮フレームヘッダと、黒画面非圧縮フレームデータとを含む。第１の黒画面データは、ＶＳＩフラグを格納しない。つまり、３Ｄデータから２Ｄデータに変わる場合には、コントローラー２１０は、新たな映像データの種類と同一の種類である２Ｄ形式の黒画面データをテレビに出力する。
【００５４】
一方、２Ｄデータから３Ｄデータに変わると判断すると、コントローラー２１０は、新たな３Ｄ映像データの出力の前に３Ｄ形式の黒画面データ（第２の黒画面データ）をテレビに出力する（Ｓ３６０）。この第２の黒画面データは、図１１（ｂ）に示すように、１フレーム毎に、非圧縮フレームヘッダと、ＶＳＩフラグと、黒画面非圧縮フレームデータとを含む。つまり、２Ｄデータから３Ｄデータに変わると判断すると、コントローラー２１０は、新たな映像データの種類と同一の種類である３Ｄ形式の黒画面データをテレビに出力する。
【００５５】
３Ｄ形式または２Ｄ形式の黒画面データをテレビに出力すると、コントローラー２１０は、所定期間Ｔの間黒画面データのテレビへの出力を継続する（Ｓ３７０）。
【００５６】
所定期間Ｔが経過すると、コントローラー２１０は、新たな映像データの再生開始処理を行い（Ｓ３８０）、前記ステップＳ３１０で映像データの再生を行ってテレビへ出力する。具体的には、新たな映像データの種類が３Ｄデータである場合には図９（ａ）に示す形式の映像データを出力し、２Ｄデータである場合には図９（ｂ）に示す形式の映像データを出力する。
【００５７】
このように、本実施の形態にかかるデジタルビデオカメラ１００は、テレビへ出力する映像データの種類が変わる場合に、所定期間Ｔの間黒画面を示す映像データを出力し、所定期間Ｔ経過した後に新たな映像データをテレビへ出力する。つまり、デジタルビデオカメラ１００は、テレビへ出力する映像データの種類を切り替える際に、前の映像データの出力の実行後予め設定された映像データを所定期間Ｔ出力し、その後、新たな映像データの出力を開始する。ここで、受信した映像データの種類が３Ｄデータから２Ｄデータに変わった場合、図４（ｂ）に示すように、テレビは、ＶＳＩフラグ判別遅延期間Ｔ１に黒画面を示す２Ｄデータ５４０を受信する。この場合、ＶＳＩフラグ判別遅延期間Ｔ１において、テレビは、受信した黒画面を示す２Ｄデータを３Ｄ映像の表示方式で画面に表示する。しかしながら、黒画面を示す２Ｄデータを３Ｄ映像の表示方式でテレビの画面に表示したとしても黒画面としてしか表示されない。その結果、使用者は、ＶＳＩフラグ判別遅延期間Ｔ１の間テレビに表示されている黒画面を異常画面としては認識しない。
【００５８】
ＶＳＩフラグ判別遅延期間Ｔ１の経過後、テレビは、デジタルビデオカメラ１００から出力されている黒画面を示す２Ｄデータ５４０を前記所定期間Ｔが経過するまでの間２Ｄ映像の表示方式で表示し、その後、映像コンテンツとしての２Ｄデータ５５０を表示する。
なお、図４（ａ）で説明した従来例のようにテレビ自体が黒画面５３０を表示する機能を有している場合は、ＶＳＩフラグ判別遅延期間Ｔ１の経過後、テレビ自体による黒画面５３０が表示方式切替期間Ｔ２の間表示される。そして、例えば図４（ｂ）のように、表示方式切替期間Ｔ２の経過時において前記所定期間Ｔが未だ経過していないときは、前記所定期間Ｔが経過するまでの間デジタルビデオカメラ１００から出力されている黒画面が２Ｄ映像の表示方式で表示され、その後、映像コンテンツとしての２Ｄデータ５５０が表示される。
【００５９】
なお、受信した映像データの種類が２Ｄデータから３Ｄデータに変わった場合は、テレビは、ＶＳＩフラグ判別遅延期間Ｔ１に黒画面を示す３Ｄデータを受信する。この場合、ＶＳＩフラグ判別遅延期間において、テレビは、受信した黒画面を示す３Ｄデータを２Ｄ映像の表示方式で画面に表示する。しかしながら、黒画面を示す３Ｄデータを２Ｄ映像の表示方式でテレビの画面に表示したとしても黒画面としてしか表示されない。その結果、使用者は、ＶＳＩフラグ判別遅延期間Ｔ１の間テレビに表示されている黒画面を異常画面としては認識しない。ＶＳＩフラグ判別遅延期間の経過後、テレビは、デジタルビデオカメラ１００から出力されている黒画面を示す３Ｄデータを前記所定期間Ｔが経過するまでの間３Ｄ映像の表示方式で表示し、その後、映像コンテンツとしての３Ｄデータを表示する。なお、図４（ａ）で説明した従来例のようにテレビ自体が黒画面５３０を表示する機能を有している場合は、ＶＳＩフラグ判別遅延期間Ｔ１の経過後、テレビ自体による黒画面５３０が表示方式切替期間Ｔ２の間表示される。そして、例えば図４（ｂ）のように、表示方式切替期間Ｔ２の経過時において前記所定期間Ｔが未だ経過していないときは、前記所定期間Ｔが経過するまでの間デジタルビデオカメラ１００から出力されている黒画面が３Ｄ映像の表示方式で表示され、その後、映像コンテンツとしての３Ｄデータが表示される。
【００６０】
また、本実施の形態にかかるデジタルビデオカメラ１００は、テレビに出力する映像データの種類が変わる際に、テレビが先に表示していた映像データの種類とは異なる種類の映像データの入力を受け付けてから映像データの表示方式の種類の切り替えを完了するまでの期間よりも長い期間、黒画面を示す映像データを出力し、その後に新たな映像データを出力することとした。これにより、テレビは、黒画面を示す映像データを受信している間に映像データの表示方式の切り替えを完了し、新たな映像データを先頭から適切な方式で表示できる。
【００６１】
また、本実施の形態にかかるデジタルビデオカメラ１００は、黒画面を示す映像データを、切り替え後の映像データの種類と同一の種類の映像データとして出力する。これにより、テレビは、受信した黒画面を示す映像データに基づいて、これから受信する切り替え後の映像データの種類を認識できる。その結果、テレビは、黒画面を示す映像データを受信した段階で映像の表示方式を変更できる。
【００６２】
２．他の実施の形態
以上、本発明の実施の形態として、実施の形態１を説明した。しかし、本発明は、これには限定されない。以下、本発明の他の実施の形態を本欄にまとめて説明する。
【００６３】
実施の形態１にかかるデジタルビデオカメラ１００の光学系１０１及び駆動系は、図３に示すものに限定されない。例えば、図３では３群構成の光学系１０１を例示しているが、他の群構成のレンズ構成としてもよい。また、それぞれのレンズは、１つのレンズで構成してもよく、複数のレンズから構成されるレンズ群として構成してもよい。
【００６４】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００６５】
また、実施の形態１では、管理テーブル３００のＩＤ順に映像データを連続的に再生することとしたが、必ずしもこのような構成である必要はない。例えば、再生対象の映像データを使用者に選択させ、選択された順に映像データを再生するような構成であってもよい。
【００６６】
また、実施の形態１では、１つのフレームに左目用の画像と右目用の画像とが格納された映像（サイドバイサイド形式の３Ｄ画像）を３Ｄデータとして記録することとした。しかしながら、必ずしもこのような構成である必要はない。例えば、左目用の映像と右目用の映像とを別々の映像データとして格納しているような形態（例えば、Ｈ．２６４規格に規定されているＭＶＣ方式）にも適用できる。ＭＶＣ方式の場合、ＦＰＡフラグによってではなく、映像データ中に左目用の画像と右目用の画像の両方の画像があるか否かによって、映像データが３Ｄデータであるか否かを判断できる。要するに、本発明は、外部機器に出力する映像データの種類が２Ｄデータから３Ｄデータへ、またはその逆に変わる場合に適用できる。
【００６７】
また、実施の形態１では、映像データの記録及び出力をフレーム単位で行うとした。しかしながら、必ずしもこのような構成である必要はない。例えば、映像データの記録及び出力をフィールド単位で行ってもよい。
【００６８】
また、実施の形態１では、出力する映像データの種類が変わる際に、黒画面を示す映像データを出力することとした。しかしながら、必ずしもこのような構成である必要はない。例えば、紫色や赤色等の単色の画面を示す映像データであってもよい。つまり、２Ｄデータの再生方法で再生しても３Ｄデータの再生方法で再生しても同一の映像を示す映像データであればよい。要するに、２Ｄデータの再生方法で再生しても３Ｄデータの再生方法で再生しても使用者に違和感を起こさせない映像を示す映像データ、すなわち同様に視認できる映像を示す映像データであればよい。
【００６９】
また、実施の形態１では、３ＤデータにＦＰＡフラグやＶＳＩフラグ等の３Ｄを示すフラグを格納し、２Ｄデータには２Ｄを示すフラグを格納しなかった。しかしながら、必ずしもこのような構成である必要はない。例えば、２Ｄデータにも２Ｄを示すフラグを格納してもよいし、２Ｄデータに２Ｄを示すフラグを格納し、３Ｄデータに３Ｄを示すフラグを格納しないようにしてもよい。
【００７０】
また、実施の形態１では、デジタルビデオカメラの例を説明した。しかしながら、必ずしもこのような例には限られない。デジタルスチルカメラ、ＢＤレコーダ、携帯電話等にも適用できる。要するに、３Ｄ映像データと２Ｄ映像データを選択的に外部機器に出力する出力装置に適用できる。
【００７１】
また，実施の形態１では，ステップＳ３２０での判断において，コントローラー２１０は，管理テーブル３００に格納されている３Ｄ２Ｄ識別フラグの内容が次に再生する映像データと前に再生した映像データとで異なるかを判断することとした。しかしながら，必ずしもこのような構成である必要はない。例えば，復号した映像データの中にＦＰＡフラグが格納されているか否かが次に再生する映像データと前に再生した映像データとで異なるかを判断することとしてもよい。要するに，次に再生する映像データと前に再生した映像データとで映像データの種類（３Ｄデータまたは２Ｄデータ）が異なることを判断できればよい。
【００７２】
また，実施の形態１では，ＦＰＡフラグやＶＳＩフラグはフレームヘッダとフレームデータの間にある構成とした。しかしながら，必ずしもこのような構成である必要はない。例えば，ＦＰＡフラグやＶＳＩフラグがフレームデータの途中にあるような構成としてもよい。要するに，ＦＰＡフラグやＶＳＩフラグとフレームデータとの対応が識別できるような構成であればよい。
【００７３】
また，実施の形態１では，映像データの形式として，フレームの先頭にフレームヘッダがある構成とした。しかしながら，必ずしもこのような構成である必要はない。フレームヘッダがなく，フレームの区切れが判別できるような識別信号を別途設ける構成としてもよい。要するに，映像データの単位区切りが判別できるような構成であればよい。
【００７４】
また，実施の形態１では，ＦＰＡフラグやＶＳＩフラグをフレームに１対１に対応させて毎フレーム付与することとした。しかしながら，必ずしもこのような構成である必要はない。フラグの定義を，次のフラグが出現するまで有効であるとし，フラグの挿入を各映像データの先頭のみでの挿入あるいはＧＯＰ周期での挿入などとしてもよい。
【００７５】
また、実施の形態１では、テレビに出力する映像データの種類が変わる際に、デジタルビデオカメラ１００は、テレビが先に表示していた映像データの種類とは異なる種類の映像データの入力を受け付けてから映像データの表示方式の種類の切り替えを完了するまでの期間よりも長い所定期間Ｔの間、黒画面を示す映像データを出力することとした。この所定期間Ｔは、前述のように、ＶＳＩフラグ判別遅延期間Ｔ１と、表示方式切替期間Ｔ２とを合計した期間よりも長い期間である。しかしながら、テレビにおいてＶＳＩフラグを判別して、テレビ側で黒画面を出力する場合、デジタルビデオカメラ１００から黒画面を出力する期間は、ＶＳＩフラグ判別遅延期間Ｔ１（すなわちテレビが先に表示していた映像データの種類とは異なる種類の映像データの入力を受け付けてから、当該映像データが先に表示していた映像データの種類とは異なる種類の映像データであることをテレビが認識して黒画面を表示し始めるまでの期間）としてもよい。この場合、ＶＳＩフラグ判別遅延期間Ｔ１の間においては、デジタルビデオカメラ１００から出力される黒画面によりテレビには黒画面が表示され、ＶＳＩフラグ判別遅延期間Ｔ１以後においては、テレビ自体が出力する黒画面によりテレビには黒画面が表示される。これにより、テレビに異常画面が表示されるのが防止される。なお、判別に要する時間のばらつきに対応可能とするため、ＶＳＩフラグ判別遅延期間Ｔ１よりも若干長い期間としてもよい。また、黒画面を出力する期間は表示方式切替期間Ｔ２のみ（すなわちテレビが映像データの表示方式の変更を開始してから完了するまでの期間）としてもよい。テレビが先に表示していた映像データの種類とは異なる種類の映像データの入力を受け付けてから、映像データの出力方式の変更を開始するまでの期間は非常に短く、無視し得る場合があるからである。なお、表示方式の切替に要する時間のばらつきに対応可能とするため、表示方式切替期間Ｔ２よりも若干長い期間としてもよい。
【００７６】
また、実施の形態１では、メモリカード２４０に記録されている映像データ（２Ｄデータ及び３Ｄデータ）を連続して再生する場合を例として説明したが、本発明の思想は、他の映像ソースから映像データを再生する場合にも適用できることはいうまでもない。例えば、映像ソースが放送波の場合にも適用できる。放送波をチューナやＳＴＢ（セットトップボックス）を介して受信した場合に、受信した放送波において、映像データとして２Ｄデータと３Ｄデータとが含まれ、この受信した映像データが２Ｄデータと３Ｄデータとの間で切り替わる場合にも適用可能である。また、映像ソースが光ディスクの場合にも適用できる。光ディスクに映像データとして２Ｄデータと３Ｄデータとが含まれ、この光ディスクを光ディスク再生装置で再生した場合に、再生した映像データが２Ｄデータと３Ｄデータとの間で切り替わる場合にも適用可能である。
【産業上の利用可能性】
【００７７】
本発明は、デジタルビデオカメラ、デジタルスチルカメラ、ＢＤレコーダ、携帯電話等の出力装置に適用できる。
【符号の説明】
【００７８】
１００  デジタルビデオカメラ
１１０  ズームレンズ
１２０  検出器
１３０  ズームモータ
１４０  ＯＩＳ
１５０  ＯＩＳアクチュエータ
１６０  検出器
１７０  フォーカスレンズ
１８０  ＣＣＤイメージセンサー
１９０  画像処理部
２００  メモリ
２１０  コントローラー
２２０  ジャイロセンサー
２３０  カードスロット
２４０  メモリカード
２５０  操作部材
２６０  ズームレバー
２７０  液晶モニタ
２８０  内部メモリ
２９０  ＨＤＭＩ
３００  管理テーブル
３１０  マニュアルリング
５００  ３Ｄコンバージョンレンズ
５１０  右目用レンズ
５２０  左目用レンズ
【図１】
2012014354.tif 000003
【図２】
2012014354.tif 000004
【図３】
2012014354.tif 000005
【図４】
2012014354.tif 000006
【図５】
2012014354.tif 000007
【図６】
2012014354.tif 000008
【図７】
2012014354.tif 000009
【図８】
2012014354.tif 000010
【図９】
2012014354.tif 000011
【図１０】
2012014354.tif 000012
【図１１】
2012014354.tif 000013
【手続補正書】
【提出日】平成25年2月18日(2013.2.18)
【手続補正１】
【補正対象書類名】明細書
【補正対象項目名】全文
【補正方法】変更
【補正の内容】
【発明の詳細な説明】
【技術分野】
【０００１】
本発明は、外部機器に映像データを出力する出力装置に関する。
【背景技術】
【０００２】
特許文献１は、カメラを開示する。このカメラは、画像が２Ｄ（平面）画像か３Ｄ（立体）画像かを区別する制御情報を画像に付加して記憶手段に記憶する。このカメラは、記憶手段から画像を読み出してテレビに出力する際に、画像に付加された制御情報を制御信号として出力する。
【０００３】
これにより、テレビは、出力する画像が２Ｄ画像であるか３Ｄ画像であるかを制御信号により判別し、画像の種類に応じた表示方式で適切に画像を表示できる。
【先行技術文献】
【特許文献】
【０００４】
【特許文献１】特開２００８−４２６４５号公報
【発明の概要】
【発明が解決しようとする課題】
【０００５】
従来、テレビが前記制御信号を受信すると、まず制御信号の内容を解析し、出力する画像の種類が２Ｄ画像であるか３Ｄ画像であるかを判別する。そして、この判別した画像の種類が変わらない場合は、同一の表示方式で画像を表示する。一方、判別した画像の種類が変わる場合、例えば一の画像の出力が完了して他の画像の出力を開始する際に画像の種類が２Ｄ画像から３Ｄ画像に変わる場合は、テレビは２Ｄ画像に応じた表示方式から３Ｄ画像に応じた表示方式へ表示方式の切り替えを行う。ここで、テレビが前記制御信号を受信してから表示方式の切り替えが完了するまでには、制御信号の内容の解析や表示方式の切り替えを行うため、所定の時間を要する。その結果、この所定時間の間に受信した切り替え後の映像データについては、切り替え前の映像データに対応した表示方式で表示されることとなる。したがって、何が表示されているのか使用者が認識できないような異常な画像が外部機器に表示されることとなる。
【０００６】
本発明は、３Ｄ画像と２Ｄ画像とを外部機器に出力可能な出力装置において、外部機器が制御信号を受信してから画像の表示方式の切り替えが完了するまでの期間に外部機器で異常な画像が表示されるのを低減可能な映像データの出力装置を提供することを目的とする。
【課題を解決するための手段】
【０００７】
上記課題を解決するために、本発明にかかる映像データの出力装置は、３Ｄデータ及び２Ｄデータの２種類の映像データを取得可能な取得手段と、前記取得手段で取得した映像データを外部機器に選択的に出力可能な出力手段と、を備え、前記出力手段は、第１の映像データを出力した後に第２の映像データを出力する場合において、出力する映像データの種類が変更されるときに、第１の映像データの出力後、予め設定された映像データを所定期間出力し、その後、第２の映像データの出力を開始する。
【発明の効果】
【０００８】
本発明によれば、第１の映像データを出力後に第２の映像データを出力する場合において、出力する映像データの種類が変更されるときに、第１の映像データの出力後、予め設定された映像データを所定期間出力し、その後、第２の映像データの出力が開始される。つまり、少なくとも所定期間の間は予め設定された映像データが表示されるので、異常な画像が表示される期間が低減される。
【図面の簡単な説明】
【０００９】
【図１】デジタルビデオカメラに３Ｄコンバージョンレンズを取り付けた状態を示す斜視図
【図２】３Ｄコンバージョンレンズを取り付けた状態のデジタルビデオカメラが撮像する画像データを説明するための図
【図３】デジタルビデオカメラの構成を示すブロック図
【図４】テレビへ出力する映像データの種類が変わる際に、黒画面を示す映像データを出力する理由を説明するための図
【図５】映像データの記録動作を説明するためのフローチャート
【図６】映像データの管理テーブルを説明するための図
【図７】記録する圧縮済みの映像データの形式を示す図
【図８】１ファイル分の映像データを再生する場合の再生動作を説明するためのフローチャート
【図９】外部機器に出力する映像データの形式を示す図
【図１０】複数ファイルの映像データを連続的に再生する場合の再生動作を説明するためのフローチャート
【図１１】外部機器に出力する黒画面を示す映像データの形式を説明するための図
【発明を実施するための形態】
【００１０】
１．実施の形態１
本発明をデジタルビデオカメラに適用した実施の形態１について図面を用いて説明する。
【００１１】
１−１．概要
本実施の形態にかかるデジタルビデオカメラ１００の概要について図１，２を用いて説明する。図１は、デジタルビデオカメラ１００に３Ｄコンバージョンレンズ５００を取り付けた状態を示す斜視図である。図２は、３Ｄコンバージョンレンズ５００を取り付けた状態のデジタルビデオカメラ１００が撮像する画像データを説明するための図である。
【００１２】
デジタルビデオカメラ１００は、３Ｄコンバージョンレンズ５００を取り付けるためのマニュアルリング３１０を有している。マニュアルリング３１０は、内側に雌ネジを有している。一方、３Ｄコンバージョンレンズ５００は、マニュアルリング３１０が有する雌ネジに係合する雄ネジを有している。使用者は、３Ｄコンバージョンレンズ５００が有する雄ネジをマニュアルリング３１０が有する雌ネジに係合することで、３Ｄコンバージョンレンズ５００をデジタルビデオカメラ１００に取り付けることができる。なお、デジタルビデオカメラ１００は、３Ｄコンバージョンレンズ５００の装着を磁気的に検出できる。
【００１３】
３Ｄコンバージョンレンズ５００は、３Ｄ画像における左目用の像を形成するための光をデジタルビデオカメラ１００の光学系に導入する左目用レンズ５２０と、右目用の像を形成するための光を光学系に導入する右目用レンズ５１０とを有する。３Ｄコンバージョンレンズ５００を介して入射した光は、デジタルビデオカメラ１００のＣＣＤイメージセンサー１８０に、図２に示すようなサイドバイサイド形式の３Ｄ画像として結像される。
【００１４】
デジタルビデオカメラ１００は、図２に示すような３Ｄ画像を撮像し、メモリカード２４０等の記録媒体に記録できる。一方、３Ｄコンバージョンレンズ５００を取り付けていない状態では、デジタルビデオカメラ１００は、２Ｄ画像を撮像し、撮像した２Ｄ画像のデータをメモリカード等の記録媒体に記録できる。なお、図２に示すような３Ｄ画像に基づいて生成される映像データを３Ｄデータという。また、２Ｄ画像に基づいて生成される映像データを２Ｄデータという。
【００１５】
デジタルビデオカメラ１００は、メモリカード等の記録媒体に記録されている３Ｄデータ及び２ＤデータをＨＤＭＩを介して外部機器（例えば、テレビ）に出力できる。
【００１６】
１−２．構成
１−２−１．電気的構成
本実施の形態にかかるデジタルビデオカメラ１００の電気的構成について、図３を用いて説明する。図３は、デジタルビデオカメラ１００の構成を示すブロック図である。デジタルビデオカメラ１００は、光学系１０１、ＣＣＤイメージセンサー１８０、画像処理部１９０、液晶モニタ２７０、検出器１２０、ズームモータ１３０、ＯＩＳアクチュエータ１５０、検出器１６０、メモリ２００、ズームレバー２６０、操作部材２５０、内部メモリ２８０、ジャイロセンサー２２０、コントローラー２１０、ＨＤＭＩ部２９０、及びカードスロット２３０を有する。デジタルビデオカメラ１００は、光学系１０１により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。
【００１７】
デジタルビデオカメラ１００の光学系１０１は、ズームレンズ１１０、ＯＩＳ１４０、フォーカスレンズ１７０を含む。ズームレンズ１１０は、光学系１０１の光軸に沿って移動することにより、被写体像を拡大又は縮小可能である。また、フォーカスレンズ１７０は、光学系１０１の光軸に沿って移動することにより、被写体像のピントを調整する。
【００１８】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１９】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００２０】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００２１】
ＣＣＤイメージセンサー１８０は、ズームレンズ１１０等からなる光学系１０１で形成された被写体像を撮像して、映像データを生成する。ＣＣＤイメージセンサー１８０は、露光、転送、電子シャッタなどの各種動作を行う。
【００２２】
画像処理部１９０は、ＣＣＤイメージセンサー１８０で生成された映像データに対して各種の処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。また、画像処理部１９０は、圧縮済みの映像データを復号する。画像処理部１９０は、ＤＳＰやマイコンなどで実現可能である。
【００２３】
コントローラー２１０は、デジタルビデオカメラ１００の全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２４】
メモリ２００は、画像処理部１９０及びコントローラー２１０のワークメモリとして機能する。メモリ２００は、例えば、ＤＲＡＭ、強誘電体メモリなどで実現できる。
【００２５】
液晶モニタ２７０は、ＣＣＤイメージセンサー１８０で生成した映像データが示す映像や、メモリカード２４０から読み出した映像データが示す映像を表示可能である。
【００２６】
ジャイロセンサー２２０は、圧電素子等の振動材等で構成される。ジャイロセンサー２２０は、圧電素子等の振動材を一定周波数で振動させたときのコリオリ力による力を電圧に変換して角速度情報を得る。デジタルビデオカメラ１００は、ジャイロセンサー２２０から角速度情報を得て、この揺れを相殺する方向にＯＩＳ内の補正レンズを駆動させることにより、使用者による手振れを補正する。
【００２７】
カードスロット２３０は、メモリカード２４０を装着可能である。カードスロット２３０は、機械的及び電気的にメモリカード２４０と接続可能である。メモリカード２４０は、フラッシュメモリや強誘電体メモリなどを内部に含み、データを格納可能である。
【００２８】
内部メモリ２８０は、フラッシュメモリや強誘電体メモリなどで構成される。内部メモリ２８０は、デジタルビデオカメラ１００全体を制御するための制御プログラム等を格納する。
【００２９】
操作部材２５０は、使用者から操作を受け付ける部材である。ズームレバー２６０は、使用者からズーム倍率の変更指示を受け付ける部材である。
【００３０】
ＨＤＭＩ部２９０は、ＨＤＭＩ（High Definition Multimedia Interface）規格にしたがい、映像データ等のデータを外部機器に出力するためのインターフェースである。デジタルビデオカメラ１００は、ＨＤＭＩ部２９０を介して、外部機器に映像データを出力できる。
【００３１】
１−２−２．本発明との対応
ＨＤＭＩ部２９０は、出力手段の一例である。コントローラー２１０は、取得手段の一例である。
【００３２】
１−２−３．従来の問題、及び本実施の形態のデジタルビデオカメラの概要
３Ｄ映像を表示可能なテレビにおいては、３Ｄデータに基づいて３Ｄ映像を表示する際と、２Ｄデータに基づいて２Ｄ映像を表示する際とで、表示方式が異なる。具体的には、テレビは、例えば３Ｄ映像の方式がサイドバイサイド方式である場合、３Ｄ映像を表示する際に、左目用の画像と、右目用の画像とをそれぞれ水平方向に引き伸ばし、引き伸ばした両方の画像を交互に表示する。一方、２Ｄ映像を表示する際には、テレビは、特に画像の引き伸ばし等を行わず、そのままの画像を表示する。
【００３３】
図４（ａ）は、従来においてデジタルビデオカメラからテレビに出力する映像データの種類が３Ｄデータから２Ｄデータに変わったときにおける、デジタルビデオカメラのＨＤＭＩ出力、及びテレビの画面表示を説明するための図である。デジタルビデオカメラは、３Ｄデータの出力が完了すると、２Ｄデータの出力を開始する。テレビは、受信している映像データにＶＳＩフラグが含まれているかどうかにより、受信している映像データが２Ｄデータか３Ｄデータかを判別する。ここで、ＶＳＩフラグとは、デジタルビデオカメラからテレビに出力する映像データが３Ｄデータであるか２Ｄデータであるかを判別するためのフラグであり、デジタルビデオカメラからテレビに出力する３Ｄデータのみに含まれ、フレーム毎に出力される。テレビは、映像データ中にＶＳＩフラグが所定フレーム以上（例えば３フレーム以上）にわたって連続して存在している場合は受信している映像データが３Ｄデータであると判別し、そうでない場合は受信している映像データが２Ｄデータであると判別する。所定フレーム以上（例えば３フレーム以上）にわたってＶＳＩフラグが連続して存在しているか否かを判別条件としているのは、エラー等によりＶＳＩフラグを検出できないこともあるので、判定の信頼性を向上させるためである。ＶＳＩフラグに基づいて、受信している映像データが２Ｄデータと３Ｄデータのいずれであるかを判別すると、テレビは、判別結果に基づいてテレビの表示方式を２Ｄ方式または３Ｄ方式に設定する。例えばデジタルビデオカメラから出力される映像データが３Ｄデータから２Ｄデータに切り替わった場合、テレビは、受信した映像データにＶＳＩフラグが存在しなくなったことに基づいて、映像データが３Ｄデータから２Ｄデータに切り替わったことを認識する。
しかし、所定フレーム以上（例えば３フレーム以上）にわたってＶＳＩフラグが連続して存在しているか否かを判別条件としていると、映像データが切り替わってから少なくとも所定フレームが経過するまでは、映像データが切り替わったことを認識することができないという問題がある。また、各フレームにおいてＶＳＩフラグが存在しているか否かを解析する処理に所定の時間を要する。これらの点から、テレビは、受信する映像データが３Ｄデータから２Ｄデータに切り替わった際、切り替わったことをすぐには判断できない。すなわち、映像データが３Ｄデータから２Ｄデータに切り替わったことを切り替わりと同時に判断できない。以下、これを「ＶＳＩフラグ判別遅延」という。その結果、テレビは、時刻ｔ１から映像データとして２Ｄデータを受信しているにも関わらず、受信している映像データが２ＤデータであることをＶＳＩフラグがないことに基づいて判別するまでは（時刻ｔ２までは）、３Ｄデータを受信しているものとして、３Ｄ映像の表示方式で２Ｄデータを画面に表示してしまう。つまり、テレビは、この期間（ｔ１〜ｔ２。以下、「ＶＳＩフラグ判別遅延期間Ｔ１」という）は異常画面を表示してしまう。例えば、テレビは、３Ｄ映像の方式がサイドバイサイド方式である場合、２Ｄ映像を左右に分割し、右半分の画像と左半分の画像とをそれぞれ水平方向に引き伸ばし、引き伸ばした両方の画像を時間的に交互に表示する。そのため、視聴者は、右半分の画像と左半分の画像とが重なり合った画像を視認することとなり、映像の内容を理解できない異常な画像として認識する。
【００３４】
なお、テレビは、受信した映像データ内にＶＳＩフラグがないことを判断すると（時刻ｔ２）、表示方式の切り替えのために所定期間Ｔ２（ｔ２〜ｔ３。以下「表示方式切替期間Ｔ２」という）の間、黒画面５３０を表示する。２Ｄ映像の表示方式への切り替えが完了すると、テレビは、受信した２Ｄデータに基づいた２Ｄ映像の表示を開始する。但し、この場合には、ＶＳＩフラグ判別遅延期間Ｔ１、及び表示方式切替期間Ｔ２において、デジタルビデオカメラから受信した２Ｄデータの先頭部分Ｘはテレビの画面に表示されない。
【００３５】
上記の問題を解決するため、本実施の形態にかかるデジタルビデオカメラ１００は、映像データの種類を切り替える際に、それ以前に再生していた映像データの出力が完了した場合、再生していた映像データの出力が完了してから所定期間が経過するまでの間は黒画面を示す映像データを出力し、所定期間が経過した後で新たな映像の映像データのテレビへの出力を開始する。
【００３６】
図４（ｂ）は、本実施の形態において、デジタルビデオカメラ１００からテレビに出力する映像データの種類が３Ｄデータから２Ｄデータに変わったときにおける、デジタルビデオカメラ１００のＨＤＭＩ出力、及びテレビの画面表示を説明するための図である。図４（ｂ）に示すように、デジタルビデオカメラ１００は、３Ｄデータの出力が完了してから所定期間Ｔの間は黒画面を示す２Ｄデータ５４０を出力し、その後映像コンテンツとしての２Ｄデータ５５０の出力を開始する。所定期間Ｔは、テレビが先に表示していた映像データの種類とは異なる種類の映像データの入力を受け付けてから、映像データのＶＳＩフラグの判別及び表示方式の種類の切り替えを完了するのに要する期間（図４（ａ）におけるＶＳＩフラグ判別遅延期間Ｔ１と表示方式切替期間Ｔ２の合計の期間）よりも長い期間に設定している。ＶＳＩフラグ判別遅延期間Ｔ１と表示方式切替期間Ｔ２の合計の期間よりも長くしているのは、判別や表示方式の切替に要する時間に若干ばらつきがある場合でも対応可能とするためである。
【００３７】
このような構成では、テレビは、ＶＳＩフラグ判別遅延期間Ｔ１の間、デジタルビデオカメラ１００から受信した黒画面を示す２Ｄデータを、３Ｄ映像の表示方式でテレビの画面に表示する。黒画面を示す２Ｄデータを３Ｄ映像の表示方式（例えばサイドバイサイド方式やトップアンドボトム方式）でテレビの画面に表示したとしても、テレビには黒画面としてしか表示されない。その結果、使用者は、ＶＳＩフラグ判別遅延期間Ｔ１の間テレビに表示されている黒画面を異常画面としては認識しない。以下、本実施の形態におけるこのような映像データの出力制御の詳細について説明する。
【００３８】
１−３．動作
１−３−１．記録動作
デジタルビデオカメラ１００における映像データの記録動作について図５〜７を用いて説明する。図５は、映像データの記録動作を説明するためのフローチャートである。図６は、映像データの管理テーブルを説明するための図である。図７は、記録する、圧縮済みの映像データの形式を示す図である。図７（ａ）は３Ｄデータの場合の形式を、図７（ｂ）は２Ｄデータの場合の形式を示す。
【００３９】
図５において、デジタルビデオカメラ１００は、使用者による操作を受け付けると、映像データの記録を開始する（Ｓ１００）。映像データの記録を開始すると、コントローラー２１０は、自装置（デジタルビデオカメラ１００）が３Ｄモードに設定されているか否かを判断する（Ｓ１１０）。具体的には、コントローラー２１０は、デジタルビデオカメラ１００に３Ｄコンバージョンレンズ５００が取り付けられているか否かを判断する。
【００４０】
３Ｄモードに設定されていないと判断すると（つまり、デジタルビデオカメラ１００に３Ｄコンバージョンレンズ５００が取り付けられていないと判断すると）、コントローラー２１０は、記録する映像データが２Ｄデータである旨を示す情報を管理テーブル３００に記録する（Ｓ１２０）。管理テーブル３００は、図６に示すように、ＩＤと、映像データが２Ｄデータであるか３Ｄデータであるかを示す情報（以下、「３Ｄ２Ｄ識別フラグ」と称する。）と、映像データのファイル名とを対応付けて管理するものであり、メモリカード２４０に記録されている。なお、デジタルビデオカメラ１００の電源がＯＮ状態のとき、管理テーブル３００は、メモリカード２４０から読み出されて、一時的に内部メモリ２８０に記憶される。映像データのメモリカード２４０への記録が完了すると、コントローラー２１０は、内部メモリ２８０上で管理テーブル３００を更新し、さらにメモリカード２４０内に記録されている管理テーブル３００を更新する。
【００４１】
記録する映像データが２Ｄデータである旨を示す３Ｄ２Ｄ識別フラグを管理テーブル３００に記録すると、コントローラー２１０は、２Ｄ映像データのメモリカード２４０への記録を開始する（Ｓ１３０）。具体的には、コントローラー２１０は、映像データを所定の方式により圧縮して図７（ｂ）のような圧縮済みの２Ｄデータを生成し、メモリカード２４０へ記録する。圧縮済みの２Ｄデータは、１フレーム毎に、圧縮フレームヘッダと圧縮フレームデータとを格納する。圧縮フレームヘッダには、例えば、次の圧縮フレームデータの種類がＩピクチャと、Ｐピクチャと、Ｂピクチャとのうちのいずれであるのかを示す情報が格納されている。
【００４２】
映像データのメモリカード２４０への記録を開始すると、コントローラー２１０は、操作部材２５０を介して使用者から映像データの記録の停止指示を受け付けたか否かを判断する（Ｓ１４０）。コントローラー２１０は、記録停止指示を受け付けるまではメモリカード２４０への映像データの記録を継続する一方、記録停止指示を受け付けるとメモリカード２４０への映像データの記録を停止する（Ｓ１５０）。
【００４３】
一方、ステップＳ１１０において、３Ｄモードに設定されていると判断すると（つまり、自装置に３Ｄコンバージョンレンズ５００が取り付けられていると判断すると）、コントローラー２１０は、記録する映像データが３Ｄデータであることを示す３Ｄ２Ｄ識別フラグを管理テーブル３００に記録する（Ｓ１６０）。３Ｄ２Ｄ識別フラグを管理テーブル３００に記録すると、コントローラー２１０は、３Ｄ映像データのメモリカード２４０への記録を開始する（Ｓ１７０）。具体的には、コントローラー２１０は、映像データを所定の方式により圧縮して図７（ａ）に示すような圧縮済みの３Ｄデータを生成し、メモリカード２４０へ記録する。圧縮済みの３Ｄデータは、１フレーム毎に、圧縮フレームヘッダと、ＦＰＡフラグと、圧縮フレームデータとを含む。ＦＰＡフラグは、圧縮フレームデータが３Ｄデータである旨を示すフラグである。なお、ＦＰＡフラグは、Ｈ．２６４規格において規定されるFrame Packing Arrangement SEI 領域に格納される。
【００４４】
映像データのメモリカード２４０への記録を開始すると、コントローラー２１０は、使用者から映像データの記録の停止指示を受け付けたか否かを判断する（Ｓ１８０）。コントローラー２１０は、記録停止指示を受け付けるまでは記録を継続する一方、記録停止指示を受け付けると映像データの記録を停止する（Ｓ１９０）。
【００４５】
１−３−２．映像データの再生動作
デジタルビデオカメラ１００がＨＤＭＩ部２９０を介して外部機器と接続された状態で外部機器に対して映像データを出力する場合のデジタルビデオカメラ１００における映像データの再生動作について図８、９を用いて説明する。図８は、映像データの再生動作を説明するためのフローチャートである。図８の例では、１ファイル分の映像データを再生する場合を示している。図９は、外部機器に出力する映像データの形式を示す図である。図９（ａ）は非圧縮の３Ｄデータの形式を示す図である。図９（ｂ）は非圧縮の２Ｄデータの形式を示す図である。なお、本実施の形態においては、外部機器としてテレビを考える。本実施の形態では、映像データの再生には、映像データの復号、復号した映像データにＦＰＡフラグ等が含まれるか否かの解析、復号及び解析した映像データに基づく２Ｄデータまたは３Ｄデータの生成及び出力の処理が含まれる。
【００４６】
テレビに出力するための映像データの再生を行う場合、コントローラー２１０は、再生対象である圧縮済みの映像データの復号を開始するよう画像処理部１９０を制御する（Ｓ２１０）。映像データの復号を開始するよう画像処理部１９０を制御すると、コントローラー２１０は、復号した映像データ中にＦＰＡフラグが格納されているか否かを判断する（Ｓ２２０）。
【００４７】
ＦＰＡフラグが含まれていないと判断すると、すなわち、映像データが２Ｄデータの場合、コントローラー２１０は、復号した映像データに基づいて、非圧縮の２Ｄデータを生成し、ＨＤＭＩ部２９０を介して出力する（Ｓ２３０）。この非圧縮の２Ｄデータは、図９（ｂ）に示すように、１フレーム毎に、非圧縮フレームヘッダと、非圧縮フレームデータとを含む。非圧縮フレームヘッダには、例えば、非圧縮フレームデータの解像度に関する情報が格納されている。コントローラー２１０は、この非圧縮の２Ｄデータの生成、出力を１ファイル分（１ＩＤ分）の映像データの再生が完了するまで継続する（Ｓ２４０）。映像データの再生が完了すると、コントローラー２１０は、映像データの再生を停止する（Ｓ２５０）。
【００４８】
一方、ステップＳ２２０において、ＦＰＡフラグが含まれていると判断すると、すなわち、映像データが３Ｄデータの場合、コントローラー２１０は、復号した映像データに基づいて、非圧縮の３Ｄデータを生成する（Ｓ２６０）。この非圧縮の３Ｄデータは、図９（ａ）に示すように、１フレーム毎に、非圧縮フレームヘッダと、ＶＳＩフラグと、非圧縮フレームデータとを含む。ＶＳＩフラグは、非圧縮フレームデータが３Ｄデータである旨を示すフラグである。なお、ＶＳＩフラグは、ＨＤＭＩ規格において規定されるHDMI Vendor Specific InfoFrame 領域に格納される。この非圧縮の３Ｄデータの生成、出力を１ファイル分（１ＩＤ分）の映像データの再生が完了するまで継続する（Ｓ２７０）。映像データの再生が完了すると、コントローラー２１０は、映像データの再生を停止する（Ｓ２８０）。
【００４９】
１−３−３．テレビへの映像データの出力動作
メモリカード２４０に複数の映像データが記憶されている場合には、コントローラー２１０は、管理テーブル３００に記録されたＩＤの順に従って映像データを連続的に再生する。以下、デジタルビデオカメラ１００における連続的に再生した映像データのテレビへの出力動作について図１０、１１を用いて説明する。図１０は、複数ファイルの映像データを連続的に再生して出力する場合の再生動作を説明するためのフローチャートである。図１１は、テレビに出力する黒画面を示す映像データの形式を説明するための図である。
【００５０】
コントローラー２１０は、１ファイル分（１ＩＤ分）の映像データを再生が完了するまで再生し、再生した映像データをテレビへ出力する（Ｓ３１０）。この具体的処理は前述した図８のフローチャートにしたがって行われる。再生中の映像データの再生が完了すると、コントローラー２１０は、次に再生する映像データの種類が前に再生した映像データの種類と異なるか否かを判断する（Ｓ３２０）。映像データの種類とは、３Ｄデータや２Ｄデータであり、コントローラー２１０は、映像データの種類が３Ｄデータから２Ｄデータへ、または２Ｄデータから３Ｄデータへ変更したか否かを判断する。具体的には、コントローラー２１０は、管理テーブル３００に格納されている３Ｄ２Ｄ識別フラグの内容が次に再生する映像データと前に再生した映像データとで異なるか否かを判断する。
【００５１】
映像データの種類が同じであると判断すると、コントローラー２１０は、前の映像データに続いて新たな映像データの再生開始処理を行い（Ｓ３３０）、前記ステップＳ３１０で映像データの再生を行ってテレビへ出力する。
【００５２】
一方、映像データの種類が異なると判断すると、コントローラー２１０は、映像データの種類が３Ｄデータから２Ｄデータに変わるのか、２Ｄデータから３Ｄデータに変わるのかを判断する（Ｓ３４０）。
【００５３】
３Ｄデータから２Ｄデータに変わると判断すると、コントローラー２１０は、新たな２Ｄ映像データの出力の前に２Ｄ形式の黒画面データ（第１の黒画面データ）をテレビに出力する（Ｓ３５０）。この第１の黒画面データは、図１１（ａ）に示すように、１フレーム毎に、非圧縮フレームヘッダと、黒画面非圧縮フレームデータとを含む。第１の黒画面データは、ＶＳＩフラグを格納しない。つまり、３Ｄデータから２Ｄデータに変わる場合には、コントローラー２１０は、新たな映像データの種類と同一の種類である２Ｄ形式の黒画面データをテレビに出力する。
【００５４】
一方、２Ｄデータから３Ｄデータに変わると判断すると、コントローラー２１０は、新たな３Ｄ映像データの出力の前に３Ｄ形式の黒画面データ（第２の黒画面データ）をテレビに出力する（Ｓ３６０）。この第２の黒画面データは、図１１（ｂ）に示すように、１フレーム毎に、非圧縮フレームヘッダと、ＶＳＩフラグと、黒画面非圧縮フレームデータとを含む。つまり、２Ｄデータから３Ｄデータに変わると判断すると、コントローラー２１０は、新たな映像データの種類と同一の種類である３Ｄ形式の黒画面データをテレビに出力する。
【００５５】
３Ｄ形式または２Ｄ形式の黒画面データをテレビに出力すると、コントローラー２１０は、所定期間Ｔの間黒画面データのテレビへの出力を継続する（Ｓ３７０）。
【００５６】
所定期間Ｔが経過すると、コントローラー２１０は、新たな映像データの再生開始処理を行い（Ｓ３８０）、前記ステップＳ３１０で映像データの再生を行ってテレビへ出力する。具体的には、新たな映像データの種類が３Ｄデータである場合には図９（ａ）に示す形式の映像データを出力し、２Ｄデータである場合には図９（ｂ）に示す形式の映像データを出力する。
【００５７】
このように、本実施の形態にかかるデジタルビデオカメラ１００は、テレビへ出力する映像データの種類が変わる場合に、所定期間Ｔの間黒画面を示す映像データを出力し、所定期間Ｔ経過した後に新たな映像データをテレビへ出力する。つまり、デジタルビデオカメラ１００は、テレビへ出力する映像データの種類を切り替える際に、前の映像データの出力の実行後予め設定された映像データを所定期間Ｔ出力し、その後、新たな映像データの出力を開始する。ここで、受信した映像データの種類が３Ｄデータから２Ｄデータに変わった場合、図４（ｂ）に示すように、テレビは、ＶＳＩフラグ判別遅延期間Ｔ１に黒画面を示す２Ｄデータ５４０を受信する。この場合、ＶＳＩフラグ判別遅延期間Ｔ１において、テレビは、受信した黒画面を示す２Ｄデータを３Ｄ映像の表示方式で画面に表示する。しかしながら、黒画面を示す２Ｄデータを３Ｄ映像の表示方式でテレビの画面に表示したとしても黒画面としてしか表示されない。その結果、使用者は、ＶＳＩフラグ判別遅延期間Ｔ１の間テレビに表示されている黒画面を異常画面としては認識しない。
【００５８】
ＶＳＩフラグ判別遅延期間Ｔ１の経過後、テレビは、デジタルビデオカメラ１００から出力されている黒画面を示す２Ｄデータ５４０を前記所定期間Ｔが経過するまでの間２Ｄ映像の表示方式で表示し、その後、映像コンテンツとしての２Ｄデータ５５０を表示する。
なお、図４（ａ）で説明した従来例のようにテレビ自体が黒画面５３０を表示する機能を有している場合は、ＶＳＩフラグ判別遅延期間Ｔ１の経過後、テレビ自体による黒画面５３０が表示方式切替期間Ｔ２の間表示される。そして、例えば図４（ｂ）のように、表示方式切替期間Ｔ２の経過時において前記所定期間Ｔが未だ経過していないときは、前記所定期間Ｔが経過するまでの間デジタルビデオカメラ１００から出力されている黒画面が２Ｄ映像の表示方式で表示され、その後、映像コンテンツとしての２Ｄデータ５５０が表示される。
【００５９】
なお、受信した映像データの種類が２Ｄデータから３Ｄデータに変わった場合は、テレビは、ＶＳＩフラグ判別遅延期間Ｔ１に黒画面を示す３Ｄデータを受信する。この場合、ＶＳＩフラグ判別遅延期間において、テレビは、受信した黒画面を示す３Ｄデータを２Ｄ映像の表示方式で画面に表示する。しかしながら、黒画面を示す３Ｄデータを２Ｄ映像の表示方式でテレビの画面に表示したとしても黒画面としてしか表示されない。その結果、使用者は、ＶＳＩフラグ判別遅延期間Ｔ１の間テレビに表示されている黒画面を異常画面としては認識しない。ＶＳＩフラグ判別遅延期間の経過後、テレビは、デジタルビデオカメラ１００から出力されている黒画面を示す３Ｄデータを前記所定期間Ｔが経過するまでの間３Ｄ映像の表示方式で表示し、その後、映像コンテンツとしての３Ｄデータを表示する。なお、図４（ａ）で説明した従来例のようにテレビ自体が黒画面５３０を表示する機能を有している場合は、ＶＳＩフラグ判別遅延期間Ｔ１の経過後、テレビ自体による黒画面５３０が表示方式切替期間Ｔ２の間表示される。そして、例えば図４（ｂ）のように、表示方式切替期間Ｔ２の経過時において前記所定期間Ｔが未だ経過していないときは、前記所定期間Ｔが経過するまでの間デジタルビデオカメラ１００から出力されている黒画面が３Ｄ映像の表示方式で表示され、その後、映像コンテンツとしての３Ｄデータが表示される。
【００６０】
また、本実施の形態にかかるデジタルビデオカメラ１００は、テレビに出力する映像データの種類が変わる際に、テレビが先に表示していた映像データの種類とは異なる種類の映像データの入力を受け付けてから映像データの表示方式の種類の切り替えを完了するまでの期間よりも長い期間、黒画面を示す映像データを出力し、その後に新たな映像データを出力することとした。これにより、テレビは、黒画面を示す映像データを受信している間に映像データの表示方式の切り替えを完了し、新たな映像データを先頭から適切な方式で表示できる。
【００６１】
また、本実施の形態にかかるデジタルビデオカメラ１００は、黒画面を示す映像データを、切り替え後の映像データの種類と同一の種類の映像データとして出力する。これにより、テレビは、受信した黒画面を示す映像データに基づいて、これから受信する切り替え後の映像データの種類を認識できる。その結果、テレビは、黒画面を示す映像データを受信した段階で映像の表示方式を変更できる。
【００６２】
２．他の実施の形態
以上、本発明の実施の形態として、実施の形態１を説明した。しかし、本発明は、これには限定されない。以下、本発明の他の実施の形態を本欄にまとめて説明する。
【００６３】
実施の形態１にかかるデジタルビデオカメラ１００の光学系１０１及び駆動系は、図３に示すものに限定されない。例えば、図３では３群構成の光学系１０１を例示しているが、他の群構成のレンズ構成としてもよい。また、それぞれのレンズは、１つのレンズで構成してもよく、複数のレンズから構成されるレンズ群として構成してもよい。
【００６４】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００６５】
また、実施の形態１では、管理テーブル３００のＩＤ順に映像データを連続的に再生することとしたが、必ずしもこのような構成である必要はない。例えば、再生対象の映像データを使用者に選択させ、選択された順に映像データを再生するような構成であってもよい。
【００６６】
また、実施の形態１では、１つのフレームに左目用の画像と右目用の画像とが格納された映像（サイドバイサイド形式の３Ｄ画像）を３Ｄデータとして記録することとした。しかしながら、必ずしもこのような構成である必要はない。例えば、左目用の映像と右目用の映像とを別々の映像データとして格納しているような形態（例えば、Ｈ．２６４規格に規定されているＭＶＣ方式）にも適用できる。ＭＶＣ方式の場合、ＦＰＡフラグによってではなく、映像データ中に左目用の画像と右目用の画像の両方の画像があるか否かによって、映像データが３Ｄデータであるか否かを判断できる。要するに、本発明は、外部機器に出力する映像データの種類が２Ｄデータから３Ｄデータへ、またはその逆に変わる場合に適用できる。
【００６７】
また、実施の形態１では、映像データの記録及び出力をフレーム単位で行うとした。しかしながら、必ずしもこのような構成である必要はない。例えば、映像データの記録及び出力をフィールド単位で行ってもよい。
【００６８】
また、実施の形態１では、出力する映像データの種類が変わる際に、黒画面を示す映像データを出力することとした。しかしながら、必ずしもこのような構成である必要はない。例えば、紫色や赤色等の単色の画面を示す映像データであってもよい。つまり、２Ｄデータの再生方法で再生しても３Ｄデータの再生方法で再生しても同一の映像を示す映像データであればよい。要するに、２Ｄデータの再生方法で再生しても３Ｄデータの再生方法で再生しても使用者に違和感を起こさせない映像を示す映像データ、すなわち同様に視認できる映像を示す映像データであればよい。
【００６９】
また、実施の形態１では、３ＤデータにＦＰＡフラグやＶＳＩフラグ等の３Ｄを示すフラグを格納し、２Ｄデータには２Ｄを示すフラグを格納しなかった。しかしながら、必ずしもこのような構成である必要はない。例えば、２Ｄデータにも２Ｄを示すフラグを格納してもよいし、２Ｄデータに２Ｄを示すフラグを格納し、３Ｄデータに３Ｄを示すフラグを格納しないようにしてもよい。
【００７０】
また、実施の形態１では、デジタルビデオカメラの例を説明した。しかしながら、必ずしもこのような例には限られない。デジタルスチルカメラ、ＢＤレコーダ、携帯電話等にも適用できる。要するに、３Ｄ映像データと２Ｄ映像データを選択的に外部機器に出力する出力装置に適用できる。
【００７１】
また，実施の形態１では，ステップＳ３２０での判断において，コントローラー２１０は，管理テーブル３００に格納されている３Ｄ２Ｄ識別フラグの内容が次に再生する映像データと前に再生した映像データとで異なるかを判断することとした。しかしながら，必ずしもこのような構成である必要はない。例えば，復号した映像データの中にＦＰＡフラグが格納されているか否かが次に再生する映像データと前に再生した映像データとで異なるかを判断することとしてもよい。要するに，次に再生する映像データと前に再生した映像データとで映像データの種類（３Ｄデータまたは２Ｄデータ）が異なることを判断できればよい。
【００７２】
また，実施の形態１では，ＦＰＡフラグやＶＳＩフラグはフレームヘッダとフレームデータの間にある構成とした。しかしながら，必ずしもこのような構成である必要はない。例えば，ＦＰＡフラグやＶＳＩフラグがフレームデータの途中にあるような構成としてもよい。要するに，ＦＰＡフラグやＶＳＩフラグとフレームデータとの対応が識別できるような構成であればよい。
【００７３】
また，実施の形態１では，映像データの形式として，フレームの先頭にフレームヘッダがある構成とした。しかしながら，必ずしもこのような構成である必要はない。フレームヘッダがなく，フレームの区切れが判別できるような識別信号を別途設ける構成としてもよい。要するに，映像データの単位区切りが判別できるような構成であればよい。
【００７４】
また，実施の形態１では，ＦＰＡフラグやＶＳＩフラグをフレームに１対１に対応させて毎フレーム付与することとした。しかしながら，必ずしもこのような構成である必要はない。フラグの定義を，次のフラグが出現するまで有効であるとし，フラグの挿入を各映像データの先頭のみでの挿入あるいはＧＯＰ周期での挿入などとしてもよい。
【００７５】
また、実施の形態１では、テレビに出力する映像データの種類が変わる際に、デジタルビデオカメラ１００は、テレビが先に表示していた映像データの種類とは異なる種類の映像データの入力を受け付けてから映像データの表示方式の種類の切り替えを完了するまでの期間よりも長い所定期間Ｔの間、黒画面を示す映像データを出力することとした。この所定期間Ｔは、前述のように、ＶＳＩフラグ判別遅延期間Ｔ１と、表示方式切替期間Ｔ２とを合計した期間よりも長い期間である。しかしながら、テレビにおいてＶＳＩフラグを判別して、テレビ側で黒画面を出力する場合、デジタルビデオカメラ１００から黒画面を出力する期間は、ＶＳＩフラグ判別遅延期間Ｔ１（すなわちテレビが先に表示していた映像データの種類とは異なる種類の映像データの入力を受け付けてから、当該映像データが先に表示していた映像データの種類とは異なる種類の映像データであることをテレビが認識して黒画面を表示し始めるまでの期間）としてもよい。この場合、ＶＳＩフラグ判別遅延期間Ｔ１の間においては、デジタルビデオカメラ１００から出力される黒画面によりテレビには黒画面が表示され、ＶＳＩフラグ判別遅延期間Ｔ１以後においては、テレビ自体が出力する黒画面によりテレビには黒画面が表示される。これにより、テレビに異常画面が表示されるのが防止される。なお、判別に要する時間のばらつきに対応可能とするため、ＶＳＩフラグ判別遅延期間Ｔ１よりも若干長い期間としてもよい。また、黒画面を出力する期間は表示方式切替期間Ｔ２のみ（すなわちテレビが映像データの表示方式の変更を開始してから完了するまでの期間）としてもよい。テレビが先に表示していた映像データの種類とは異なる種類の映像データの入力を受け付けてから、映像データの出力方式の変更を開始するまでの期間は非常に短く、無視し得る場合があるからである。なお、表示方式の切替に要する時間のばらつきに対応可能とするため、表示方式切替期間Ｔ２よりも若干長い期間としてもよい。
【００７６】
また、実施の形態１では、メモリカード２４０に記録されている映像データ（２Ｄデータ及び３Ｄデータ）を連続して再生する場合を例として説明したが、本発明の思想は、他の映像ソースから映像データを再生する場合にも適用できることはいうまでもない。例えば、映像ソースが放送波の場合にも適用できる。放送波をチューナやＳＴＢ（セットトップボックス）を介して受信した場合に、受信した放送波において、映像データとして２Ｄデータと３Ｄデータとが含まれ、この受信した映像データが２Ｄデータと３Ｄデータとの間で切り替わる場合にも適用可能である。また、映像ソースが光ディスクの場合にも適用できる。光ディスクに映像データとして２Ｄデータと３Ｄデータとが含まれ、この光ディスクを光ディスク再生装置で再生した場合に、再生した映像データが２Ｄデータと３Ｄデータとの間で切り替わる場合にも適用可能である。
【産業上の利用可能性】
【００７７】
本発明は、デジタルビデオカメラ、デジタルスチルカメラ、ＢＤレコーダ、携帯電話等の出力装置に適用できる。
【符号の説明】
【００７８】
１００  デジタルビデオカメラ
１１０  ズームレンズ
１２０  検出器
１３０  ズームモータ
１４０  ＯＩＳ
１５０  ＯＩＳアクチュエータ
１６０  検出器
１７０  フォーカスレンズ
１８０  ＣＣＤイメージセンサー
１９０  画像処理部
２００  メモリ
２１０  コントローラー
２２０  ジャイロセンサー
２３０  カードスロット
２４０  メモリカード
２５０  操作部材
２６０  ズームレバー
２７０  液晶モニタ
２８０  内部メモリ
２９０  ＨＤＭＩ
３００  管理テーブル
３１０  マニュアルリング
５００  ３Ｄコンバージョンレンズ
５１０  右目用レンズ
５２０  左目用レンズ
【手続補正２】
【補正対象書類名】特許請求の範囲
【補正対象項目名】全文
【補正方法】変更
【補正の内容】
【特許請求の範囲】
【請求項１】
３Ｄデータ及び２Ｄデータの２種類の映像データを取得可能な取得手段と、
前記取得手段で取得した映像データを外部機器に選択的に出力可能な出力手段と、を備え、
前記出力手段は、
第１の映像データを出力した後に第２の映像データを出力する場合において、前記出力する映像データの種類が変更されるときに、第１の映像データの出力後、予め設定された映像データを所定期間出力し、その後、第２の映像データの出力を開始する、
映像データの出力装置。
【請求項２】
前記予め設定された映像データの種類は、前記第２の映像データの種類と同一である、
請求項１に記載の映像データの出力装置。
【請求項３】
前記予め設定された映像データは、２Ｄデータの表示方法と３Ｄデータの表示方法とのいずれの方法で表示しても同一の映像を示す映像データである、
請求項１又は２に記載の映像データの出力装置。
【請求項４】
前記予め設定された映像データは、単色の映像を示す映像データである、
請求項３に記載の映像データの出力装置。
【請求項５】
前記所定期間は、
前記外部機器が、先に表示していた映像データの種類とは異なる種類の映像データの入力を受け付けてから映像データの表示方式の種類の切り替えを完了するまでの期間よりも長い期間である、
請求項１〜４の何れか１項に記載の映像データの出力装置。
【手続補正３】
【補正対象書類名】図面
【補正対象項目名】全図
【補正方法】変更
【補正の内容】
【図１】
2012014354.tif 000014
【図２】
2012014354.tif 000015
【図３】
2012014354.tif 000016
【図４】
2012014354.tif 000017
【図５】
2012014354.tif 000018
【図６】
2012014354.tif 000019
【図７】
2012014354.tif 000020
【図８】
2012014354.tif 000021
【図９】
2012014354.tif 000022
【図１０】
2012014354.tif 000023
【図１１】
2012014354.tif 000024
【国際調査報告】
2012014354.tif 000025
2012014354.tif 000026
2012014354.tif 000027
2012014354.tif 000028